(57)【要約】【課題】１円硬貨収納グッズは預金箱や机の片隅で死に金になっている、価値の低い１円硬貨を収納し紙幣のように１円硬貨収納グッズを社会に流通できる。【解決手段】１．紙幣と同サイズの用紙を作成する。２．用紙の表面に、硬貨の固定位置及び、金額、各種デザインや広告等を印刷する３．硬貨の硬貨固定位置に合わせて、用紙にミシン目等の、切断用切り込を入れておく。４．用紙の硬貨固定位置に、硬貨を複数回、脱着出来粘着剤か両面粘着テープ等を固定す    る。【選択図】図３
2015049887.tif 000002
【特許請求の範囲】
【請求項１】
用紙で作成した１円硬貨収納グッズ
【請求項２】
樹脂シートで作成した１円硬貨収納グッズ。
【請求項３】
請求項１及び２を製本した１円硬貨収納グッズノート。
【発明の詳細な説明】
【技術分野】
【０００１】本発明は、硬貨を収納させるグッズに関するものである。
【背景技術】
【０００２】１円硬貨の収納は銀行等で、硬貨を重ねて積み上げ、紙等で筒状に包装して収納して会社及び商店やスーパー等に流通させている
硬貨収納容器としては透明な樹脂製筒状の硬貨収納ケース等が販売されている。
一般家庭では貯金箱や空き瓶等に収納されているが、机の引き出しにため込み１円硬貨は死に金化し流通現場から消滅している。【０００３】１円硬貨は財布かコインケースに入れて、必要なとき必要な額を、財布やコインケースから取り出し使用している。
【先行技術文献】
【特許文献】
【０００４】
【特許文献１】特許申請としては  緒方  賢次郎  出願  特開２００２−１７４１５がある。
【発明の開示】
【発明が解決しようとする課題】
【０００５】１円硬貨は消費税導入以来、流通社会では大量消費が始まったが、１円硬貨の価値が低いので、１円硬貨を釣銭等でもらっても、流通でうまく処理できず、ビンや貯金箱に収納するか、机の引き出しにため込み死に金化し、流通現場から消滅して、スーパーや商店等では，慢性的な１円硬貨不足に陥っている。
また、従来の硬貨を流通させるには、銀行等の紙等で筒状包装した硬貨を社会に、流通させる方法が支流で、個人では財布の小銭入れか、コインケースや、がま口に硬貨を収納して、買い物等で流通させているが、下記のような欠点があった。
１．硬貨２０個以上の使用は一般商店やスーパーでは敬遠される。
２．硬貨の数量確認が煩雑。
３．容器がかさばり携帯に不便。
４．銀行発行の筒状の硬貨は、個人では入手困難だし、小分けして使用しにくい。
５．硬貨が財布やコインケースから、取り出しにくい。
６．筒状の容器は、硬貨を取り出しにくいし、小分けして使用しにくい。
７．１円硬貨と１００円硬貨が混じると判別しにくい。
８．机の引き出し等で１円硬貨が死に金になり、１円硬貨不足になるたび、造幣局では約  ４円のコストをかけて１円硬貨を製造している。
【課題を解決するための手段】
【０００６】  以上のような課題を解決するために、本発明の１円硬貨収納グッズは、
１．用紙の表面または裏面に、硬貨固定位置を定め此の硬貨固定部位に硬貨を脱着出来      る粘着剤を粘着させる。図３参照
２．用紙の表面または裏面に、広告や各種デザインを印刷する。図２参照
本発明の１円硬貨収納グッズは、上記のような用紙に加工し、この用紙の硬貨固定      部位に、複数の硬貨を固定させて市場で流通させる。図１〜２参照
尚、用紙は市場に流通している紙幣と同サイズの用紙にしてもよい。
硬貨脱着可能な粘着剤は、両面粘着テープでもよい。
１円硬貨収納グッズの用紙は、樹脂シートで作製してもよい。
１円硬貨収納グッズの硬貨固定部位に合わせ、用紙にミシン目等の切断用切り込を設    けてもよい。図３参照
【発明の効果】
【０００７】本発明の、１円硬貨収納グッズに、１円硬貨を片面に２０枚、個定すると２０円の硬貨収納グッズとなり、下記のような効果がある。図１〜２参照
１．２０円紙幣グッズとして市場で流通できる。
２．金額に応じ、切断用切り込みを入れておくと、５円や１０円単位の少額紙幣グッズと    して、切断して流通できる。図３参照
３．用紙をメモ帳のように製本すると大量の硬貨収集が簡単で整理が容易になり切断して    流通できるし携帯に便利。
４．紙幣と同サイズの用紙で作成すれば、財布に紙幣と一緒に収納できる。
５．用紙に、商店名や、各種デザイン及び、コマーシャル等の図案が印刷できるので、ノ    ベルティーに使える。
６．各家庭等の貯金箱や、ビンに預金している１円硬貨を、市場で流通できる。
７．用紙の表面に硬貨を固定するので、硬貨の数量を簡単に、把握できる。
８．硬貨を、表面に固定するので、筒状の容器のように、嵩張らず、硬貨の数量確認が簡    単で、携帯に便利。
９．硬貨の数量確認が簡単で硬貨がバラバラにならないので、２０円以上の使用が容易に    なる。
１０．１円硬貨収納グッズを樹脂シートで作製すると紙幣のような高質で高価な用紙が不    要で、柔軟性がよく強度が大きいので、長持ちし，雨などで濡れても、紙幣の様に傷    まないので、リーズナブル。
１１．机の引き出し等で死に金になっている硬貨を、市場に流通させることにより、一円    硬貨不足の解消になるし、造幣局での不要な造幣製造経費の削減につながる。
【図面の簡単な説明】
【０００８】
【図１】１円硬貨収納グッズの裏面に、硬貨を脱着出来る粘着剤や、両面粘着テープ類を粘着し１円硬貨を固定した平面図の一例。
【図２】１円硬貨収納グッズの表面に、金額、各種デザインや広告等を印刷しノベルティーグッズに使用した、平面図の一例。
【図３】１円硬貨収納グッズの裏面硬貨固定部位に、硬貨を粘着出来る両面粘着テープを粘着しミシン目等の切断用切り込を設けた平面図の一例。
【発明を実施するための最良の形態】
【０００９】本発明の１円硬貨収納グッズは
１．市場に流通している紙幣と同サイズの用紙を作成する。
２．用紙の表面に硬貨の固定位置及び、金額、裏面に、広告や各種デザイン等を印刷する。
３．硬貨固定位置に合わせて、用紙にミシン目等の切断用切り込を入れる。
４．用紙の硬貨固定位置に、硬貨を脱着出来る粘着剤か両面粘着テープを粘着する。
５．本発明の１円硬貨収納グッズ、に硬貨を固定して、紙幣として市場に流通させる。
【実施例】
【実施例１】
【００１０】１．紙幣と同サイズの用紙を作成する。図１〜図３参照
２．用紙の表面に、各種デザインや広告等を印刷する。図２参照
３．用紙の裏面に硬貨固定位置を表示し、硬貨を脱着出来る両面粘着テープを粘着し更に    、硬貨固定位置に合わせて、ミシン目の切断用切り込を入れておく。図３参照
【産業上の利用可能性】
【００１１】  実施例１の１円硬貨収納グッズは、
１．預金箱や机の片隅で死に金になっている、価値の低い１円硬貨を５〜２０円紙幣とし    て社会に流通できる。
２．１円硬貨収納グッズの両面に、商店名や、各種デザイン及び、コマーシャル等の図案    が印刷できるので、ノベルティーに使える。
３．１円硬貨収納グッズを、樹脂シートで製造すると、高価な用紙が不要で、柔軟性がよ    く強度が大きいので、長持ちし，濡れても、紙幣の様に傷まないので、リーズナブル
【符号の説明】
【００１２】１  用紙や樹脂シート
２  硬貨位置を示す丸印
３  ミシン目等の切断用切り込。
４  各種デザイン及び、コマーシャル等の図案の印刷
５  両面粘着テープまたは粘着剤等
６  一円硬貨
【図１】
2015049887.tif 000003
【図２】
2015049887.tif 000004
【図３】
2015049887.tif 000005